(57)【要約】【課題】  安価な構造でランプボックスの着脱操作を容易に行うこと。【解決手段】  ケーシング１の底面に取出口５が開設され、該取出口５に挿入されて係止機構により係止される開閉蓋４が設けられ、該開閉蓋４上にランプボックス６が固定され、電源コード９ａの先端コネクタ８Ｂが支持枠３に固定されると共に、前記ランプコード６ａの先端コネクタ８Ａがランプボックス６に固定されており、前記開閉蓋４を持ち上げてランプボックスを取出口５からケーシング１内に差し込んだ後、該開閉蓋４を後方にスライドさせて取出口５に係止機構を介して係止することにより、ランプボックス６をケーシング１内の所定位置に配置し、それと同時に、ランプコード６ａの先端コネクタ８Ａを電源コード９ａの先端コネクタ８Ｂに接続させるようにした。【選択図】        図１
2006215149.tif 000002
【特許請求の範囲】
【請求項１】
ケーシング内の前部に、光学エンジンと、空隙部を挟んで対向する前後一対の枠体及び
該両枠体間に架設した天板枠からなる門型状支持枠とが配置され、該支持枠に対向してケ
ーシングの側面に開設した開閉蓋付き取出口を通ってその支持枠の空隙部にランプボック
スが配置されると共に、該ランプボックスが支持枠にビスにより止着され、そのランプボ
ックスから延びるランプコードの先端コネクタと電源コードの先端コネクタとが接続され
ており、ランプボックスから光学エンジンに光線を投影し、該光学エンジンの投影レンズ
により映像を投影するようにしたプロジェクタにおいて、前記支持枠の前側枠体を削除す
ると共に、ビスを省略し、前記取出口がケーシングの底面に開設され、該取出口に連通す
るＴ字溝がケーシングの前面下端縁に形成され、該Ｔ字溝から取出口にかけて挿入されて
係止機構により係止される開閉蓋が設けられ、該開閉蓋上にランプボックスが固定され、
電源コードの先端コネクタが支持枠の後側枠体に固定されると共に、ランプコードの先端
コネクタがランプボックスに固定され、前記係止機構が、開閉蓋の一端に一体突設されて
取出口の奥端に対向してケーシング内に設けた係合枠に係脱可能な係合片と、開閉蓋の他
端両側面に一体突設されてＴ字溝の両凹部に係脱可能な凸片とからなっており、前記開閉
蓋を持ち上げてランプボックスを取出口からケーシング内に差し込んだ後、該開閉蓋を後
方にスライドさせることにより、係合片を係合枠に係合させると共に、両凸片をＴ字溝の
両凹部に係合させて、ランプボックスをケーシング内の所定位置に配置し、それと同時に
、ランプコードの先端コネクタを電源コードの先端コネクタに接続させるようにしたこと
を特徴とするプロジェクタ。
【請求項２】
ケーシング内の前部に、光学エンジンと、空隙部を挟んで対向する前後一対の枠体及び
該両枠体間に架設した天板枠からなる門型状支持枠とが配置され、該支持枠に対向してケ
ーシングの側面に開設した開閉蓋付き取出口を通ってその支持枠の空隙部にランプボック
スが配置されると共に、該ランプボックスが支持枠にビスにより止着され、そのランプボ
ックスから延びるランプコードの先端コネクタと電源コードの先端コネクタとが接続され
ており、ランプボックスから光学エンジンに光線を投影し、該光学エンジンの投影レンズ
により映像を投影するようにしたプロジェクタにおいて、前記支持枠の前側枠体を削除す
ると共に、ビスを省略し、前記取出口がケーシングの底面に開設され、該取出口に挿入さ
れて係止機構により係止される開閉蓋が設けられ、該開閉蓋上にランプボックスが固定さ
れ、電源コードの先端コネクタが支持枠の後側枠体に固定されると共に、ランプコードの
先端コネクタがランプボックスに固定され、前記係止機構が、開閉蓋の一端に一体突設さ
れて取出口の奥端に対向してケーシング内に設けた係合枠に係脱可能な係合片からなり、
取出口内に嵌め込んだ開閉蓋と該取出口の前端との間の隙間を塞ぐ塞ぎ板がその取出口に
係脱可能に形成されており、前記開閉蓋を持ち上げてランプボックスを取出口からケーシ
ング内に差し込んだ後、該開閉蓋を後方にスライドさせることにより、係合片を係合枠に
係合させて、ランプボックスをケーシング内の所定位置に配置し、それと同時に、ランプ
コードの先端コネクタを電源コードの先端コネクタに接続させ、取出口内に嵌め込んだ開
閉蓋と該取出口の前端との間の隙間を塞ぎ板で塞ぐようにしたことを特徴とするプロジェ
クタ。
【請求項３】
ケーシング内の前部に光学エンジンと支持枠とが配置され、該支持枠の空隙部に配置し
たランプボックスから延びるランプコードの先端コネクタと電源コードの先端コネクタと
が接続されており、ランプボックスから光学エンジンに光線を投影し、該光学エンジンの
投影レンズにより映像を投影するようにしたプロジェクタにおいて、前記ケーシングの底
面に取出口が開設され、該取出口に挿入されて係止機構により係止される開閉蓋が設けら
れ、該開閉蓋上にランプボックスが固定され、前記電源コードの先端コネクタが支持枠に
固定されると共に、前記ランプコードの先端コネクタがランプボックスに固定されており
、前記開閉蓋を持ち上げてランプボックスを取出口からケーシング内に差し込んだ後、該
開閉蓋を後方にスライドさせて取出口に係止機構を介して係止することにより、ランプボ
ックスをケーシング内の所定位置に配置し、それと同時に、ランプコードの先端コネクタ
を電源コードの先端コネクタに接続させるようにしたことを特徴とするプロジェクタ。
【請求項４】
前記係止機構が、開閉蓋の一端に一体突設されて取出口の奥端に対向してケーシング内
に設けた係合枠に係脱可能な係合片と、開閉蓋の他端両側面に一体突設されてケーシング
の前面下端縁に形成したＴ字溝の両凹部に係脱可能な凸片とからなっており、前記開閉蓋
を持ち上げてランプボックスを取出口からケーシング内に差し込んだ後、該開閉蓋を後方
にスライドさせることにより、係合片を係合枠に係合させると共に、両凸片をＴ字溝の両
凹部に係合させて、開閉蓋を取出口に係止するようにしたことを特徴とする請求項３に記
載のプロジェクタ。
【請求項５】
前記係止機構が、開閉蓋の一端に一体突設されて取出口の奥端に対向してケーシング内
に設けた係合枠に係脱可能な係合片からなり、取出口内に嵌め込んだ開閉蓋と該取出口の
前端との間の隙間を塞ぐ塞ぎ板がその取出口に係脱可能に形成されており、前記開閉蓋を
持ち上げてランプボックスを取出口からケーシング内に差し込んだ後、該開閉蓋を後方に
スライドさせることにより、係合片を係合枠に係合させ、取出口内に嵌め込んだ開閉蓋と
該取出口の前端との間の隙間を塞ぎ板で塞ぐようにしたことを特徴とする請求項３に記載
のプロジェクタ。
【発明の詳細な説明】
【技術分野】
【０００１】
本発明は、例えばテレビ映像をスクリーンに映写するためのプロジェクタに関する。
【背景技術】
【０００２】
従来、プロジェクタの技術として特許文献１などに記載したものがあり、その一例を図
９〜図１２に基づいて説明すると、ケーシング１内の前部に、光学エンジン２と、空隙部
Ａを挟んで対向する前後一対の枠体３ａ，３ｂ及び該両枠体３ａ，３ｂ間に架設した天板
枠３ｃからなる門型状支持枠３とが配置され、該支持枠３に対向してケーシング１の側面
に開設した開閉蓋４付き取出口５を通ってその支持枠３の空隙部Ａにランプボックス６が
配置されると共に、該ランプボックス６が支持枠３の前側枠体３ｂと天板枠３ｃとにそれ
ぞれ２本のビス７により止着され、そのランプボックス６から延びるランプコード６ａの
先端コネクタ８Ａとケーシング１の後部の電源ボ−ド９から延びる電源コード９ａの先端
コネクタ８Ｂとが接続されている。なお、図１０中、１０はランプボックス６のランプ、
１１はリフレクタである。
【０００３】
図１０に示すように、光学エンジン２及びランプボックス６に対向して後側枠体３ａに
ファン１２，１３が止着され、ケーシング１の前面に排気口１４が形成されると共に、該
ケーシング１の側面から後面に吸気口１５が形成されている。なお、１６は光学エンジン
２の後端面に突設した放熱フィン、１７はコントローラボードである。
【０００４】
上記構成において、ランプボックス６から光学エンジン２に光線を投射し、該光学エン
ジン２の投影レンズ２ａによりスクリーン１８に映像を投影し、各ファン１２，１３を駆
動して吸気口１５からケーシング１内に空気を吸引し排気口１４から排気することにより
光学エンジン２及びランプボックス６を冷却する。
【０００５】
ランプボックス６の取付手順を説明すると、図１０に仮想線で示すように、開閉蓋４を
外し、取出口５の側方にランプボックス６をもたらした後、該ランプボックス６を取出口
５から支持枠３の空隙部Ａ内に差し込み、そのランプボックス６をビス７で支持枠３に止
着し、次に、取出口５から狭いケーシング１内に指部を入れてランプコード６ａの先端コ
ネクタ８Ａを電源コード９ａの先端コネクタ８Ｂに接続し、最後に開閉蓋４を取出口５に
取り付ける。ランプ１０の交換を行う場合には上記の取付手順と逆の手順で行えばよい。
【特許文献１】特開２００２−３３３６６８号公報
【発明の開示】
【発明が解決しようとする課題】
【０００６】
上記従来の構成では、コネクタ８Ａ，８Ｂが前後方向Ｘに沿って接続されると共に、ラ
ンプボックス６が前後方向Ｘとは直交する左右方向Ｙに沿って着脱されるようになってお
り、そのコネクタ８Ａ，８Ｂの接続方向とランプボックス６の着脱方向とが異なるため、
ランプ１０の交換を行う場合に、開閉蓋４及びランプボックス６の着脱操作とは別個に、
コネクタ８Ａ，８Ｂの接続及び接続解除の操作を行う必要があり、手間と時間とがかかっ
て面倒であり、また、ランプボックス６を固定するために２本のビス７を用いており、そ
のビス７の分だけ部品点数が増加すると共に、ビス７のねじ込み及びねじ込み解除に手間
と時間とがかかって面倒であり、製作費が高くつく。
【０００７】
本発明は、上記従来の欠点に鑑み、安価な構造でランプボックスの着脱操作を容易に行
うことができるようにしたプロジェクタを提供することを目的としている。
【課題を解決するための手段】
【０００８】
上記目的を達成するため、請求項１に記載の発明は、ケーシング内の前部に、光学エン
ジンと、空隙部を挟んで対向する前後一対の枠体及び該両枠体間に架設した天板枠からな
る門型状支持枠とが配置され、該支持枠に対向してケーシングの側面に開設した開閉蓋付
き取出口を通ってその支持枠の空隙部にランプボックスが配置されると共に、該ランプボ
ックスが支持枠にビスにより止着され、そのランプボックスから延びるランプコードの先
端コネクタと電源コードの先端コネクタとが接続されており、ランプボックスから光学エ
ンジンに光線を投影し、該光学エンジンの投影レンズにより映像を投影するようにしたプ
ロジェクタにおいて、前記支持枠の前側枠体を削除すると共に、ビスを省略し、前記取出
口がケーシングの底面に開設され、該取出口に連通するＴ字溝がケーシングの前面下端縁
に形成され、該Ｔ字溝から取出口にかけて挿入されて係止機構により係止される開閉蓋が
設けられ、該開閉蓋上にランプボックスが固定され、電源コードの先端コネクタが支持枠
の後側枠体に固定されると共に、ランプコードの先端コネクタがランプボックスに固定さ
れ、前記係止機構が、開閉蓋の一端に一体突設されて取出口の奥端に対向してケーシング
内に設けた係合枠に係脱可能な係合片と、開閉蓋の他端両側面に一体突設されてＴ字溝の
両凹部に係脱可能な凸片とからなっており、前記開閉蓋を持ち上げてランプボックスを取
出口からケーシング内に差し込んだ後、該開閉蓋を後方にスライドさせることにより、係
合片を係合枠に係合させると共に、両凸片をＴ字溝の両凹部に係合させて、ランプボック
スをケーシング内の所定位置に配置し、それと同時に、ランプコードの先端コネクタを電
源コードの先端コネクタに接続させるようにしたことを特徴としている。
【０００９】
請求項２に記載の発明は、ケーシング内の前部に、光学エンジンと、空隙部を挟んで対
向する前後一対の枠体及び該両枠体間に架設した天板枠からなる門型状支持枠とが配置さ
れ、該支持枠に対向してケーシングの側面に開設した開閉蓋付き取出口を通ってその支持
枠の空隙部にランプボックスが配置されると共に、該ランプボックスが支持枠にビスによ
り止着され、そのランプボックスから延びるランプコードの先端コネクタと電源コードの
先端コネクタとが接続されており、ランプボックスから光学エンジンに光線を投影し、該
光学エンジンの投影レンズにより映像を投影するようにしたプロジェクタにおいて、前記
支持枠の前側枠体を削除すると共に、ビスを省略し、前記取出口がケーシングの底面に開
設され、該取出口に挿入されて係止機構により係止される開閉蓋が設けられ、該開閉蓋上
にランプボックスが固定され、電源コードの先端コネクタが支持枠の後側枠体に固定され
ると共に、ランプコードの先端コネクタがランプボックスに固定され、前記係止機構が、
開閉蓋の一端に一体突設されて取出口の奥端に対向してケーシング内に設けた係合枠に係
脱可能な係合片からなり、取出口内に嵌め込んだ開閉蓋と該取出口の前端との間の隙間を
塞ぐ塞ぎ板がその取出口に係脱可能に形成されており、前記開閉蓋を持ち上げてランプボ
ックスを取出口からケーシング内に差し込んだ後、該開閉蓋を後方にスライドさせること
により、係合片を係合枠に係合させて、ランプボックスをケーシング内の所定位置に配置
し、それと同時に、ランプコードの先端コネクタを電源コードの先端コネクタに接続させ
、取出口内に嵌め込んだ開閉蓋と該取出口の前端との間の隙間を塞ぎ板で塞ぐようにした
ことを特徴としている。
【００１０】
請求項３に記載の発明は、ケーシング内の前部に光学エンジンと支持枠とが配置され、
該支持枠の空隙部に配置したランプボックスから延びるランプコードの先端コネクタと電
源コードの先端コネクタとが接続されており、ランプボックスから光学エンジンに光線を
投影し、該光学エンジンの投影レンズにより映像を投影するようにしたプロジェクタにお
いて、前記ケーシングの底面に取出口が開設され、該取出口に挿入されて係止機構により
係止される開閉蓋が設けられ、該開閉蓋上にランプボックスが固定され、前記電源コード
の先端コネクタが支持枠に固定されると共に、前記ランプコードの先端コネクタがランプ
ボックスに固定されており、前記開閉蓋を持ち上げてランプボックスを取出口からケーシ
ング内に差し込んだ後、該開閉蓋を後方にスライドさせて取出口に係止機構を介して係止
することにより、ランプボックスをケーシング内の所定位置に配置し、それと同時に、ラ
ンプコードの先端コネクタを電源コードの先端コネクタに接続させるようにしたことを特
徴としている。
【００１１】
請求項４に記載の発明は、請求項３に記載の発明において、前記係止機構が、開閉蓋の
一端に一体突設されて取出口の奥端に対向してケーシング内に設けた係合枠に係脱可能な
係合片と、開閉蓋の他端両側面に一体突設されてケーシングの前面下端縁に形成したＴ字
溝の両凹部に係脱可能な凸片とからなっており、前記開閉蓋を持ち上げてランプボックス
を取出口からケーシング内に差し込んだ後、該開閉蓋を後方にスライドさせることにより
、係合片を係合枠に係合させると共に、両凸片をＴ字溝の両凹部に係合させて、開閉蓋を
取出口に係止するようにしたことを特徴としている。
【００１２】
請求項５に記載の発明は、請求項３に記載の発明において、前記係止機構が、開閉蓋の
一端に一体突設されて取出口の奥端に対向してケーシング内に設けた係合枠に係脱可能な
係合片からなり、取出口内に嵌め込んだ開閉蓋と該取出口の前端との間の隙間を塞ぐ塞ぎ
板がその取出口に係脱可能に形成されており、前記開閉蓋を持ち上げてランプボックスを
取出口からケーシング内に差し込んだ後、該開閉蓋を後方にスライドさせることにより、
係合片を係合枠に係合させ、取出口内に嵌め込んだ開閉蓋と該取出口の前端との間の隙間
を塞ぎ板で塞ぐようにしたことを特徴としている。
【発明の効果】
【００１３】
請求項１に記載の発明は第１の実施の形態（図１〜図６参照）に対応するものであって
、これによれば、コネクタの接続方向とランプボックスの着脱方向とが一致しているため
、ランプの交換を行う場合に、ランプボックス付き開閉蓋の着脱操作を行うだけで、コネ
クタの接続及び接続解除の操作も同時に行うことができ、その交換作業を迅速容易に行う
ことができる。
【００１４】
また、開閉蓋の一端に一体突設した係合片をケーシング内に設けた係合枠に係合させる
と共に、該開閉蓋の他端両側面に一体突設した両凸片をケーシングの前面下端縁に形成し
たＴ字溝の両凹部に係合させるだけで、ランプボックスをケーシング内の所定位置に係止
することができ、その係止に従来必要とされていた複数のビスが不要であるから、その不
要となった分だけ部品点数を少なくすることができると共に、ビスのねじ込み及びねじ込
み解除の操作が不要で、製作費を安くすることができる。
【００１５】
請求項２に記載の発明は第２の実施の形態（図７及び図８参照）に対応するものであっ
て、これによれば、請求項１に記載の発明と同様の効果を得ることができ、特に、取出口
がケーシングの底面に形成されて正面から見えないので、外観上の体裁を良好に保持する
ことができ、しかも、取出口内に嵌め込んだ開閉蓋と該取出口の前端との間の隙間を塞ぎ
板で塞ぐことにより、ケーシング内に塵埃などが入り込まないようにすことができる。
【００１６】
請求項３に記載の発明は基本形態に対応するものであって、これによれば、コネクタの
接続方向とランプボックスの着脱方向とが一致しているため、ランプの交換を行う場合に
、ランプボックス付き開閉蓋の着脱操作を行うだけで、コネクタの接続及び接続解除の操
作も同時に行うことができ、その交換作業を迅速容易に行うことができる。
【００１７】
請求項４に記載の発明によれば、開閉蓋の一端に一体突設した係合片をケーシング内に
設けた係合枠に係合させると共に、該開閉蓋の他端両側面に一体突設した両凸片をケーシ
ングの前面下端縁に形成したＴ字溝の両凹部に係合させるだけで、ランプボックスをケー
シング内の所定位置に係止することができ、その係止に従来必要とされていた複数のビス
が不要であるから、その不要となった分だけ部品点数を少なくすることができると共に、
ビスのねじ込み及びねじ込み解除の操作が不要で、製作費を安くすることができる。
【００１８】
請求項５に記載の発明によれば、請求項４に記載の発明と同様にビス無しで開閉蓋を取
出口に係止することができると共に、その取出口がケーシングの底面に形成されて正面か
ら見えないので、外観上の体裁を良好に保持することができ、しかも、取出口内に嵌め込
んだ開閉蓋と該取出口の前端との間の隙間を塞ぎ板で塞ぐことにより、ケーシング内に塵
埃などが入り込まないようにすことができる。
【発明を実施するための最良の形態】
【００１９】
図１〜図６は本発明の第１の実施の形態であるプロジェクタを示すものであって、支持
枠３の前側枠体３ｂ（図１２参照）が削除され、ケーシング１の底面に取出口５が開設さ
れ、該取出口５に連通するＴ字溝２０がケーシング１の前面下端縁に形成され、該Ｔ字溝
２０から取出口５にかけて挿入されて係止機構２１により係止される開閉蓋４が設けられ
ると共に、該開閉蓋４上にランプボックス６が固定されている。上記以外の構成は図９〜
図１２に示す構成とほぼ同じであるから、同一部分に同一符号を付してその説明を省略す
る。
【００２０】
前記係止機構２１は、図３に示すように、開閉蓋４の一端に一体突設されて取出口５の
奥端に対向してケーシング１内に設けた左右一対のＬ字状係合枠２２に係脱可能な係合片
２１ａと、開閉蓋４の他端両側面に一体突設されてＴ字溝２０の両凹部２０ａに係脱可能
な凸片２１ｂとからなっている。
【００２１】
図４に示すように、前後方向Ｘに沿って互いに対向するホルダ２３、２４が支持枠３の
後側枠体３ａとランプボックス６とにそれぞれ一体形成され、その支持枠３側ホルダ２３
に電源コード９ａの先端コネクタ８Ｂが着脱可能に装着されると共に、そのランプボック
ス６側ホルダ２４にランプコード６ａの先端コネクタ８Ａが着脱可能に装着されている。
【００２２】
ランプボックス６の取付手順を説明すると、図６（ａ）に示すように、ランプボックス
６付き開閉蓋４を取出口５の下方にもたらした後、図６（ｂ）に示すように、該開閉蓋４
を持ち上げてランプボックス６を取出口５からケーシング１内に差し込み、該開閉蓋４を
後方にスライドさせることにより、図５に示すように、係合片２１ａを係合枠２２に係合
させると共に、両凸片２１ｂをＴ字溝２０の両凹部２０ａに係合させて、ランプボックス
６をケーシング１内の所定位置に配置し、それと同時に、ランプコード６ａの先端コネク
タ８Ａを電源コード９ａの先端コネクタ８Ｂに接続する。ランプ１０の交換を行う場合に
は上記の取付手順と逆の手順で行えばよい。
【００２３】
上記構成によれば、コネクタ８Ａ，８Ｂの接続方向とランプボックス６の着脱方向とが
前後方向Ｘに沿って一致しているため、ランプ１０の交換を行う場合に、ランプボックス
６付き開閉蓋４の着脱操作を行うだけで、コネクタ８Ａ，８Ｂの接続及び接続解除の操作
も同時に行うことができ、その交換作業を迅速容易に行うことができる。
【００２４】
また、開閉蓋４の一端に一体突設した係合片２１ａをケーシング１内に設けた係合枠２
２に係合させると共に、該開閉蓋４の他端両側面に一体突設した両凸片２１ｂをケーシン
グ１の前面下端縁に形成したＴ字溝２０の両凹部２０ａに係合させるだけで、ランプボッ
クス６をケーシング１内の所定位置に係止することができ、その係止に従来必要とされて
いた複数のビス７（図１１参照）が不要であるから、その不要となった分だけ部品点数を
少なくすることができると共に、ビス７のねじ込み及びねじ込み解除の操作が不要で、製
作費を安くすることができる。
【００２５】
図７及び図８は本発明の第２の実施の形態であるプロジェクタを示すものであって、係
止機構２１が、開閉蓋４の一端に一体突設されて取出口５のの奥端に対向してケーシング
１内に設けた係合枠２２に係脱可能な係合片２１ａからなっている。また、取出口５内に
嵌め込んだ開閉蓋４と該取出口５の前端との間の隙間を塞ぐ塞ぎ板２５が設けられ、該塞
ぎ板２５の両側面上端に取出口５の周縁に係脱可能に係合する係合突条２６が一体形成さ
れ、開閉蓋４の前端縁下部に凹段部４ａが形成されると共に、その凹段部４ａに係合する
凸段部２５ａが塞ぎ板２５の後端縁下部に形成されている。上記以外の構成は図１〜図６
に示す第１の実施の形態とほぼ同じであるから、同一部分に同一符号を付してその説明を
省略する。
【００２６】
ランプボックス６の取付手順を説明すると、図８（ａ）に示すように、ランプボックス
６付き開閉蓋４を取出口５の下方にもたらした後、図８（ｂ）に示すように、該開閉蓋４
を持ち上げてランプボックス６を取出口５からケーシング１内に差し込み、該開閉蓋４を
後方にスライドさせることにより、図８（ｃ）に示すように、係合片２１ａを係合枠２２
に係合させて、ランプボックス６をケーシング１内の所定位置に配置し、それと同時に、
ランプコード６ａの先端コネクタ８Ａを電源コード９ａの先端コネクタ８Ｂに接続する。
次に、取出口５に嵌め込んだ開閉蓋４と該取出口５の前端との間の隙間に塞ぎ板２５を挿
入して、係合突条２６を取出口５の周縁に係合させると共に、該塞ぎ板２５の凸段部２５
ａを開閉蓋４の凹段部４ａに係合させる。ランプ１０の交換を行う場合には上記の取付手
順と逆の手順で行えばよい。
【００２７】
上記構成によれば、図１〜図６に示す第１の実施の形態と同様の効果を得ることができ
、特に、取出口５がケーシング１の底面に形成されて正面から見えないので、外観上の体
裁を良好に保持することができ、しかも、取出口５内に嵌め込んだ開閉蓋４と該取出口５
の前端との間の隙間を塞ぎ板２５で塞ぐことにより、ケーシング１内に塵埃などが入り込
まないようにすことができる。
【図面の簡単な説明】
【００２８】
【図１】本発明の第１の実施の形態であるプロジェクタの斜視図である。
【図２】同水平断面図である。
【図３】同取出口付近の分解斜視図である。
【図４】同コネクタ付近の分解斜視図である。
【図５】同ランプボックス付近の縦断面図である。
【図６】（ａ）及び（ｂ）はランプボックスの着脱手順を示す縦断面図である。
【図７】本発明の第２の実施の形態であるプロジェクタの取出口付近の分解斜視図である。
【図８】（ａ）〜（ｃ）はランプボックスの着脱手順を示す縦断面図である。
【図９】従来例を示す斜視図である。
【図１０】同水平断面図である。
【図１１】同ランプボックス付近の縦断面図である。
【図１２】同分解側面図である。
【符号の説明】
【００２９】
１          ケーシング
２          光学エンジン
３          支持枠
３ａ，３ｂ  支持枠の枠体
３ｃ        支持枠の天板枠
４          開閉蓋
５          取出口
６          ランプボックス
６ａ        ランプコード
７          ビス
８Ａ        ランプコードの先端コネクタ
８Ｂ        電源コードの先端コネクタ
２０        Ｔ字溝
２０ａ      Ｔ字溝の凹部
２１        係止機構
２１ａ      係止機構の係合片
２１ｂ      係止機構の凸片
２２        係合枠
２５        塞ぎ板
Ａ          空隙部
【図１】
2006215149.tif 000003
【図２】
2006215149.tif 000004
【図３】
2006215149.tif 000005
【図４】
2006215149.tif 000006
【図５】
2006215149.tif 000007
【図６】
2006215149.tif 000008
【図７】
2006215149.tif 000009
【図８】
2006215149.tif 000010
【図９】
2006215149.tif 000011
【図１０】
2006215149.tif 000012
【図１１】
2006215149.tif 000013
【図１２】
2006215149.tif 000014